(57)【要約】【課題】吸湿、通気、弾性緩衝及び滑り止め効果を具有するマットの構造を提供する。【解決手段】マットを足踏層１０、通気層２０、滑り止め層３０、及び外側縁取り４０で構成され、上から下に順に重合わせた足踏層、通気層、及び滑り止め層をその周縁を囲む外側縁取りを縫い糸で縫い合わせてなり、さらに、それらの縁部近傍に一つの穿孔を設けてその内周縁を内側縁取り５０で包んで縫い合わせることにより吊り穴を形成する。足踏層１０を吸水効果の優れた生地とし、通気層２０をメッシュ生地及びメッシュ生地間に挟まれて連結する弾性繊維層とし、該メッシュ生地に複数の蜂の巣状穴を形成することにより、該通気層２０中に三次元の通気ルートを構成し、滑り止め層３０には上下を貫通する複数の穴を分布して形成する。【選択図】図１
0003214308.tif 000002
【実用新案登録請求の範囲】
【請求項１】
足踏層、通気層、滑り止め層、及び外側縁取りから構成し、
上記足踏層は、ユーザーが直接足裏で踏むための吸水効果の優れた生地で作られ、
上記通気層は、該足踏層の底面に重ねて設置され、上下に位置する二つのメッシュ生地及び該二つのメッシュ生地の間を支えて連結する複数の弾性繊維から構成され、
該二つのメッシュ生地に複数の蜂の巣状穴を形成して該通気層の中で垂直及び水平に交差して連通する三次元の通気ルートを構成することにより、弾力性のある緩衝作用と通気性、換気性を具備し、
上記滑り止め層は、上記通気層の底面に重ねて設置され、上下を貫通する複数の穴を分布形成することにより、該滑り止め層の上下表面に凹凸のある起伏状を形成して滑り止め作用を具備させ、
上記外側縁取りは、重合わせた状態の上記足踏層、通気層及び滑り止め層の外周縁を包んで縫い合わせることによりマットを構成したことを特徴とするマットの構造。
【請求項２】
更に、前記足踏層、通気層及び滑り止め層の周縁近傍にこれらを上下に貫通する少なくとも一つの穿孔を設け、重ね合せた状態のこれらの足踏層、通気層及び滑り止め層の穿孔内周縁を内側縁取りによって包んで縫い合わせることにより、
少なくとも一つの吊り穴を形成することを特徴とする請求項１記載のマットの構造。
【請求項３】
前記吊り穴の数は、一つ、二つ、三つ或いは四つのいずれかであることを特徴とする請求項２記載のマットの構造。
【請求項４】
前記該吊り穴は、角隅部に位置することを特徴とする請求項２記載のマットの構造。
【請求項５】
前記該足踏層は、長繊維の絨毛の生地とすることを特徴とする請求項１記載のマットの構造。
【請求項６】
前記該足踏層を製作する素材の生地に、活性炭を含有せしめたことを特徴とする請求項１記載のマットの構造。
【請求項７】
前記該足踏層を製作する素材の生地に、銀イオンを含有せしめたことを特徴とする請求項１記載のマットの構造。
【請求項８】
前記該通気層は、サンドイッチメッシュ構造とし、サンドイッチメッシュの生地に活性炭を含有せしめたことを特徴とする請求項１記載のマットの構造。
【請求項９】
前記該滑り止め層は、ＰＶＣ発泡材でシート状に作られることを特徴とする請求項１記載のマットの構造。
【請求項１０】
前記重ねた該足踏層、該通気層及び該滑り止め層を、縦方向及び横方向に間隔を開けて複数の縫い糸で縫合わせることにより、相対的にずれて移動することを防止して、構造の強化、安定性を向上したことを特徴とする請求項１記載のマットの構造。
【考案の詳細な説明】
【技術分野】
【０００１】
本考案はマットの構造に関し、特に、吸湿、通気性、弾性緩衝及び滑り止め効果に優れたマットの構造に関する。
【背景技術】
【０００２】
従来のマットの構造は、主に足踏層の底面に滑り止め層を設けて構成する。そのうちで、該足踏層の素材は生地であり、足裏の水分を吸収する。しかし、該従来技術のマットの構造は、通気性、換気性の特性を持たないため、足踏層が水分を吸収すると、その水分は該マットの底部に蓄積して湿気となるため、マットがカビやすく、ばい菌が発生し、臭くなる問題が生じることを鑑みて、更なる改善が必要であった。
【先行技術文献】
【特許文献】
【０００３】
【特許文献１】特開２００４−２１５９９９号公報
【特許文献２】特開平１１−７６４５２号公報
【考案の概要】
【考案が解決しようとする課題】
【０００４】
前記従来構造の欠点を解決するために、本考案は従来のマットにおける換気通気性が悪く、カビ、ばい菌の発生及び臭くなる問題を解決するマットの構造を提供することを主な課題とする。
【課題を解決するための手段】
【０００５】
前記課題を解決するために、本考案はマットの構造を提供するものである。足踏層、通気層、滑り止め層、外側縁取りを含む。そのうちで、該足踏層は吸水効果の優れた生地からなり、ユーザーが足裏で踏む。該通気層は該足踏層の底面に重ねて設置し、弾力性のある緩衝と通気性・換気性の役割を具有する。該通気層は上下に位置する二つのメッシュ生地及び該二つのメッシュ生地の間を支持して連結する複数の弾性繊維を含み、該二つのメッシュ生地に複数の蜂の巣状穴を具有し、該複数の弾性繊維と合わせて、該通気層の中で複数の垂直及び水平に交差して連通する三次元の通気ルートを構成する。該滑り止め層は該通気層の底面に重ねて設置する。該滑り止め層は上下を貫通する複数の穴を分布することで、該滑り止め層の上下表面に凹凸のある起伏状を形成するために、良好な滑り止め効果が得られる。該外側縁取りは重ねた状態の該足踏層、該通気層及び該滑り止め層の周囲を包み、縫い糸によって該足踏層、該通気層及び該滑り止め層を縫い合わせる。
【０００６】
本考案が提供するマットの構造は、該足踏層の優れた吸水力を利用して、ユーザーの足裏にある水分を吸収し、ユーザーの足裏を乾燥させ、滑るのを防止する。特に通気層の中に形成する三次元の通気ルートを利用し、水分及び湿気を外に発散させやすく、水分がマット内部に蓄積するのを避けるため、素晴らしい通気、換気及びカビ防止の効果を具有し、よって有効的にばい菌の発生を防止することができる。更に、該通気層にある弾性繊維を介し、本考案のマットを踏む際に、緩衝及び衝撃を吸収する効果があり、踏む際の快適さを向上する。
【考案の効果】
【０００７】
本考案の構造で形成する三次元の通気ルートによって、水分及び湿気を外に発散させやすく、水分がマット内部に蓄積するのを避けるため、素晴らしい通気、換気及びカビ防止の効果を具有し、よって有効的にばい菌の発生を防止することができる。更に、該通気層にある弾性繊維を介し、本考案を踏む際に、緩衝及び衝撃を吸収する効果があり、踏む際の快適さを高める。
【図面の簡単な説明】
【０００８】
【図１】本考案の立体分解略図である。
【図２】本考案の通気層の局部立体拡大略図である。
【図３】本考案の立体組立拡大略図である。
【図４】本考案の局部断面拡大略図である。
【考案を実施するための形態】
【０００９】
以下、本考案の構造と特徴および効果を、最良実施例と図面を参照しながら詳細に説明する。
【実施例】
【００１０】
図１〜図４に示すように、本考案のマットの構造に含まれるのは足踏層１０、通気層２０、滑り止め層３０、外側縁取り４０及び少なくとも一つの内側縁取り５０である。
【００１１】
前記記足踏層１０は吸水効果の優れた生地(例えば長繊維の絨毛の生地…など)で作られ、ユーザーが足裏で踏む。該足踏層１０の周辺に近い場所に上下を貫通する少なくとも一つの上穿孔１１を設け、その位置は該上穿孔１１を該足踏層１０の角がよい。本実施例において、該足踏層１０を製作する生地には、活性炭或いは銀イオンを含むものとして、それにより殺菌、消臭の効果を具有する。
【００１２】
前記通気層２０は、該足踏層１０の底面に重ねて設置し、弾力性を備えて緩衝性と通気性・換気性の役割を具有する。該通気層２０はサンドイッチメッシュ構造であり、サンドイッチメッシュの生地には活性炭を含有し、該通気層２０は上下に位置する二つのメッシュ生地２１及び該二つのメッシュ生地２１の間を支持して連結する複数の弾性繊維２２を有すると共に、該二つのメッシュ生地２１に複数の蜂の巣状穴２３を形成し、該複数の弾性繊維２２と合わせて、該通気層２０の中で複数の垂直及び水平に交差して連通する三次元の通気ルートを構成する。
前記通気層２０にも該上穿孔１１と対応する少なくとも一つの中穿孔２４を設ける。
【００１３】
前記滑り止め層３０は、前記通気層２０の底面に重ねて設置する。該滑り止め層３０はＰＶＣ発泡材で作られたシート状のものであり、該シート状に上下を貫通する複数の穴を分布して設けることで、該シート状の上下表面に凹凸のある起伏状を形成するために、良好な滑り止め効果が得られる。
該滑り止め層３０に該中穿孔２４と対応する少なくとも一つの下穿孔３１を設ける。
【００１４】
前記外側縁取り４０は、重ねた状態の前記足踏層１０、通気層２０及び滑り止め層３０の周囲を包み、縫い糸によって該足踏層１０、該通気層２０及び該滑り止め層３０を縫い合わせる。
【００１５】
前記内側縁取り５０は、上記の重ねた状態の上穿孔１１、中穿孔２４及び下穿孔３１の穴の縁を包み、縫い糸によって該足踏層１０、該通気層２０及び該滑り止め層３０を縫い合わせることで、少なくとも一つの吊り穴５１を形成し、マットを吊るして乾かすのに便利である。
【００１６】
本考案において、重ねた合わせた足踏層１０、通気層２０及び滑り止め層３０には、縦方向及び横方向に間隔を開けて複数の縫い糸６０で縫い合わせることにより、相対的にずれて移動することを防止し、全体の構造の強化、維持効果を強化する。また、本考案のマットにある吊り穴５０の数は、上記の実施例にある二つ以外に、一つ、三つ、四つなどにすることもでき、これは上記実施例のシンプルな拡張構造であるため、更に詳しく言及しない。
【００１７】
本考案が提供するマットの構造は、使用時には該足踏層１０の素晴らしい吸水力によって、ユーザーの足裏にある水分を吸収し、ユーザーの足裏を乾燥させ、滑るのを防止する。特に、通気層２０の中に形成する三次元の通気ルートにより、水分及び湿気を外に発散させやすく、水分がマット内部に蓄積するのを防止するため、優れた通気性、換気性及びカビ防止の効果を具有し、よって効果的にばい菌の発生を防止することができる。更に、該通気層２０の弾性繊維２２を介し、本考案を踏む際に、緩衝及び衝撃を吸収する効果があり、踏む際の快適さを向上する。
また、少なくとも一つの吊り穴５１により、ユーザーは便利にマットを吊るして乾かすことができる。
【符号の説明】
【００１８】
１０  足踏層                
１１  上穿孔
２０  通気層                
２１  メッシュ生地
２２  弾性繊維            
２３  蜂の巣状穴
２４  中穿孔                
３０  滑り止め層
３１  下穿孔                
４０  外側縁取り
５０  内側縁取り              
５１  吊り穴
６０  縫い糸
【図１】
0003214308.tif 000003
【図２】
0003214308.tif 000004
【図３】
0003214308.tif 000005
【図４】
0003214308.tif 000006